(57)【要約】  【課題】  撮影された画像や音声等の付加情報の再生及び変更・追加を、ユーザ同士で手軽かつ愉快に楽しめるようにすること。  【解決手段】  携帯電話３０またはプリント装置２０を介してユーザの複数の画像のプリント注文を受け付けたとき、サービスサーバ１０は、受け付けた複数の画像や音声等の付加情報を所定のデータベースに登録し、携帯電話３０からインターネット５０を介してアクセスするための画像ごとにユニークなアクセス情報を発行する。プリント装置２０は、１枚の用紙に複数の画像と各画像のアクセス情報を互いに関連付けて印刷したインデックスプリントを作成する。このインデックスプリントのアクセス情報を使用して携帯電話３０からアクセスすると、該当する画像や付加情報が携帯電話３０で再生される。インデックスプリントの用紙にシール紙を用い、アクセス情報が印刷された箇所を剥がして他の媒体に貼り付けることができるようにしてもよい。【選択図】  図１
2005208499.tif 000002
【特許請求の範囲】
【請求項１】
プリント注文を受け付けたユーザの少なくとも１以上の画像を取得する画像取得手段と、
各画像ごとにユニークなアクセス情報を取得するアクセス情報取得手段と、
１枚のインデックスプリント用のプリント媒体に前記ユーザの少なくとも１以上の画像を印刷するとともに、前記画像ごとにユニークなアクセス情報を各画像に関連付けて記録するプリント手段と、
を備えたことを特徴とするインデックスプリント作成装置。
【請求項２】
前記プリント媒体はシール紙であり、前記アクセス情報が印刷された箇所を剥がして他の媒体に貼り付けることができることを特徴とする請求項１に記載のインデックスプリント作成装置。
【請求項３】
前記アクセス情報は、所定のデータベースに登録された、前記ユーザの各画像または前記ユーザの各画像に関連する付加情報に対してネットワークを介してアクセスするための情報であることを特徴とする請求項１または２に記載のインデックスプリント作成装置。
【請求項４】
前記プリント手段は、前記アクセス情報を二次元バーコードでプリント媒体に印刷することを特徴とする請求項３に記載のインデックスプリント作成装置。
【請求項５】
前記プリント手段は、前記アクセス情報をテキストでプリント媒体に印刷することを特徴とする請求項３に記載のインデックスプリント作成装置。
【請求項６】
前記プリント手段は、前記アクセス情報を前記プリント媒体に形成されたＩＣタグに書き込む書き込み手段を有することを特徴とする請求項３に記載のインデックスプリント作成装置。
【請求項７】
請求項１ないし請求項６の何れかに記載のインデックスプリント作成装置によって作成されたインデックスプリントのアクセス情報を使用するユーザ端末機とネットワークを介して通信を行うサービスサーバであって、
プリント注文を受け付けたユーザの各画像を管理するデータベースと、
前記ユーザ端末機から前記インデックスプリントのアクセス情報を使用してアクセスされると、該アクセス情報に対応する画像を前記データベースから読み出して前記アクセスしたユーザ端末機に送信する送信手段と、
を備えたことを特徴とするサービスサーバ。
【請求項８】
請求項１ないし請求項６の何れかに記載のインデックスプリント作成装置によって作成されたインデックスプリントのアクセス情報を使用するユーザ端末機とネットワークを介して通信を行うサービスサーバであって、
プリント注文を受け付けたユーザの各画像に関連する付加情報を各画像と関連付けて管理するデータベースと、
前記ユーザ端末機から前記インデックスプリントのアクセス情報を使用してアクセスされると、該アクセス情報に対応する画像の付加情報を前記データベースから読み出して前記アクセスしたユーザ端末機に送信する送信手段と、
を備えたことを特徴とするサービスサーバ。
【請求項９】
請求項１ないし請求項６の何れかに記載のインデックスプリント作成装置によって作成されたインデックスプリントのアクセス情報を使用するユーザ端末機とネットワークを介して通信を行うサービスサーバであって、
前記ユーザ端末機から前記インデックスプリントのアクセス情報を使用してアクセスされ、該アクセス情報に対応する画像の付加情報を受信する受信手段と、
前記受信した付加情報を各画像と関連付けて管理するデータベースと、
前記ユーザ端末機から前記インデックスプリントのアクセス情報を使用してアクセスされると、該アクセス情報に対応する画像の付加情報を前記データベースから読み出して前記アクセスしたユーザ端末機に送信する送信手段と、
を備えたことを特徴とするサービスサーバ。
【請求項１０】
前記付加情報は、音声情報、文字情報、バックグラウンドミュージック、撮影時の位置情報、および、画像情報のうちの少なくとも１つを含むことを特徴とする請求項８または９に記載のサービスサーバ。
【請求項１１】
ユーザの少なくとも１以上の画像のプリント注文を受け付け、
プリント注文を受け付けたユーザの各画像を所定のデータベースに登録し、
前記データベースに登録された各画像に対してネットワークを介してアクセスするための画像ごとにユニークなアクセス情報を発行し、
１枚のインデックスプリント用のプリント媒体に前記ユーザの少なくとも１以上の画像を印刷するとともに、前記画像ごとにユニークなアクセス情報を各画像に関連付けて該プリント媒体に記録し、
前記プリント媒体のアクセス情報を使用してユーザ端末機からアクセスされると、該アクセス情報に対応する画像を前記データベースから読み出して前記アクセスしたユーザ端末機に送信することを特徴とするサービス方法。
【請求項１２】
ユーザの少なくとも１以上の画像のプリント注文を受け付け、
プリント注文を受け付けたユーザの各画像に関連する付加情報を各画像と関連付けて所定のデータベースに登録し、
前記データベースに登録された各画像の付加情報に対してネットワークを介してアクセスするための画像ごとにユニークなアクセス情報を発行し、
１枚のインデックスプリント用のプリント媒体に前記ユーザの少なくとも１以上の画像を印刷するとともに、前記画像ごとにユニークなアクセス情報を各画像に関連付けて該プリント媒体に記録し、
前記アクセス情報を使用してユーザ端末機からアクセスされると、該アクセス情報に対応する画像の付加情報を前記データベースから読み出して前記アクセスしたユーザ端末機に送信することを特徴とするサービス方法。
【請求項１３】
ユーザの少なくとも１以上の画像のプリント注文を受け付け、
前記画像ごとにユニークなアクセス情報を発行し、
１枚のインデックスプリント用のプリント媒体に前記ユーザの少なくとも１以上の画像を印刷するとともに、前記画像ごとにユニークなアクセス情報を各画像に関連付けて該プリント媒体に記録し、
第１のユーザ端末機から前記アクセス情報を使用してアクセスされ、該アクセス情報に対応する画像の付加情報を受信し、
前記受信した付加情報を各画像と関連付けて所定のデータベースに登録し、
前記プリント媒体のアクセス情報を使用して第２のユーザ端末機からアクセスされると、該アクセス情報に対応する画像の付加情報を前記データベースから読み出して前記アクセスした第２のユーザ端末機に送信することを特徴とするサービス方法。
【発明の詳細な説明】
【技術分野】
【０００１】
本発明はインデックスプリント作成装置、サービスサーバおよびサービス方法に係り、特に、１枚の用紙に少なくとも１以上の画像をプリントするインデックスプリント作成装置、画像や画像の付加情報を携帯電話等のユーザ端末機にネットワークを介して配信するサービスサーバおよびサービス方法に関する。
【背景技術】
【０００２】
写真プリント店等では、一般に、ユーザの注文に従って、または、フリーチャージで、１枚の用紙に複数の画像を一覧で印刷したインデックスプリントが作成され、このインデックスプリントが標準サイズの写真プリントとともにユーザに渡されている。このインデックスプリントは、いわゆる焼き増しの注文に利用される。例えば、インデックスプリントを見ながら、１番目の写真をもう１枚、３番目の写真をもう３枚、というように追加注文をする。
【０００３】
一方で、近年、カメラ付き携帯電話が普及し、手軽に撮影して画像を送信できるようになった。また、カメラ付き携帯電話で、ポスター、吊り広告、タウン誌等の広告媒体に印刷されているＱＲコード（登録商標）等の２次元バーコードを撮影し、撮影した２次元バーコードを解読して情報を取得するようにしたものが提案されている（特許文献１を参照）。
【０００４】
プリント装置単独で簡単に希望するイラストを印刷できるようにすることを目的とし、プリント装置にバーコードリーダを接続し、イラストと共にバーコードが表示されたイラスト集のバーコードを読み取ることにより希望するイラストを選択し、選択されたイラストに対応する画像をプリント装置内の記憶手段から読み出して用紙に印刷するようにしたものも提案されている（特許文献２を参照）。
【特許文献１】特開２００２−１１８６８０号公報
【特許文献２】特開平８−１４２４４０号公報
【発明の開示】
【発明が解決しようとする課題】
【０００５】
従来のインデックスプリントは、主にユーザが焼き増しの注文をするために利用されており、それ以外の用途には、一般に、利用することができなかった。
【０００６】
また、撮影した画像がいかにきれいに印刷されても、写真プリントを見るだけで終わってしまえば、面白みに欠ける。逆に、写真プリントを見るだけで終わることなく、ユーザによって撮影された画像に基づいて、仲間同士でもっと別な様々な楽しみ方ができれば愉快である。
【０００７】
特許文献１に記載された従来技術では、Ｗｅｂサイトに登録された固定の情報が得られるだけであり、プリント注文した複数の画像の中から仲間同士で好みの画像を簡単に選択して、その画像や付加情報を携帯電話等のユーザ端末機で再生することができない。特許文献２に記載された従来技術でも、プリンタ装置内に記憶された固定のイラスト画像がプリントされるだけであり、プリント注文した複数の画像の中から仲間同士で好みの画像を簡単に選択して、その画像や付加情報を携帯電話等のユーザ端末機で再生することができない。
【０００８】
例えば、携帯電話の待ち受け画像は、ネットワークを介して取得することが可能であるが、好みの画像を手に入れるのに苦労する。特に、携帯電話の画面は小さいので、ひとつひとつ画像を取得して好みの画像を探し出すのは煩雑である。したがって、自身で撮影した画像や、有名なＷｅｂサイトから手に入れた慣用の画像を待ち受け画面に設定する者が多い。すなわち、仲間の撮影した複数の画像の中から好みの画像を容易に選択して、手軽に待ち受け画像に設定することができない。
【０００９】
本発明はこのような事情に鑑みてなされたもので、撮影された画像を活かしてユーザ同士で手軽かつ愉快に楽しむことを可能にするインデックスプリント作成装置およびサービスサーバを提供することを目的とする。
【課題を解決するための手段】
【００１０】
前記目的を達成するために、請求項１に記載の発明であるインデックスプリント作成装置は、プリント注文を受け付けたユーザの少なくとも１以上の画像を取得する画像取得手段と、各画像ごとにユニークなアクセス情報を取得するアクセス情報取得手段と、１枚のインデックスプリント用のプリント媒体に前記ユーザの少なくとも１以上の画像を印刷するとともに、前記画像ごとにユニークなアクセス情報を各画像に関連付けて記録するプリント手段を備えた構成となっている。
【００１１】
この構成によって、インデックスプリントを作成する際、プリント注文されたユーザの各画像ごとにユニークなアクセス情報が印刷されるので、インデックスプリントに基づいて、ユーザが好みの画像を容易に選択してアクセスすることができ、インデックスプリントを配布したユーザ同士で手軽かつ愉快に楽しむことができる。
【００１２】
また、請求項２に記載の発明は、請求項１に記載の発明において、前記プリント媒体はシール紙であり、前記アクセス情報が印刷された箇所を剥がして他の媒体に貼り付けることができる構成となっている。
【００１３】
この構成によって、アクセス情報が印刷された箇所を剥がして、該当する画像に関連する好みの場所に貼り付けることができる。貼り付ける場所は、ユーザの任意であり、例えば、該当する画像がプリントされたスタンダードタイプの写真プリントや、その写真プリントを収容したアルバムの該当箇所であってもよいし、該当する画像で被写体となった人物の所有物でもよい。
【００１４】
なお、前記シール紙は、アクセス情報が印刷された箇所のみが剥がせるようになっていてもよく、アクセス情報の印刷箇所と画像の印刷箇所とが一体で剥がせるようになっていてもよい。
【００１５】
また、前記アクセス情報は、請求項３に記載するように、所定のデータベースに登録された、前記ユーザの各画像または前記ユーザの各画像に関連する付加情報に対してネットワークを介してアクセスするための情報である。
【００１６】
前記プリント手段は、例えば、請求項４に記載するように、前記アクセス情報を２次元バーコードでプリント媒体に印刷する。また、例えば、請求項５に記載するように、前記アクセス情報をテキストでプリント媒体に印刷する。このテキストは、ＵＲＬ（Uniform Resource Locator）を示す文字列であってもよく、システム固有の文字列であってもよい。
【００１７】
また、請求項６に記載するように、請求項３に記載の発明において、前記プリント手段は、前記アクセス情報を前記プリント媒体に形成されたＩＣ（Integrated Circuit）タグに書き込む書き込み手段を有するようにしてもよい。
【００１８】
また、請求項７に記載の発明は、請求項１ないし請求項６の何れかに記載のインデックスプリント作成装置によって作成されたインデックスプリントのアクセス情報を使用するユーザ端末機とネットワークを介して通信を行うサービスサーバであって、プリント注文を受け付けたユーザの各画像を管理するデータベースと、前記ユーザ端末機から前記インデックスプリントのアクセス情報を使用してアクセスされると、該アクセス情報に対応する画像を前記データベースから読み出して前記アクセスしたユーザ端末機に送信する送信手段を備えた構成となっている。
【００１９】
この攻勢によって、インデックスプリントに基づいて、ユーザが好みの画像を容易に選択して該画像に容易にアクセスすることができ、インデックスプリントを配布したユーザ同士、ユーザ端末機で好みの画像を容易に再生して手軽かつ愉快に楽しむことができる。待受画面への画像の設定も容易である。
【００２０】
また、請求項８に記載の発明は、請求項１ないし請求項６の何れかに記載のインデックスプリント作成装置によって作成されたインデックスプリントのアクセス情報を使用するユーザ端末機とネットワークを介して通信を行うサービスサーバであって、プリント注文を受け付けたユーザの各画像に関連する付加情報を各画像と関連付けて管理するデータベースと、前記ユーザ端末機から前記インデックスプリントのアクセス情報を使用してアクセスされると、該アクセス情報に対応する画像の付加情報を前記データベースから読み出して前記アクセスしたユーザ端末機に送信する送信手段を備えた構成となっている。
【００２１】
この構成によって、インデックスプリントに基づいて、ユーザが好みの画像を容易に選択して該画像に関連する音声等の付加情報に容易にアクセスすることができ、インデックスプリントを配布したユーザ同士、ユーザ端末機で好みの画像の付加情報を容易に再生して手軽かつ愉快に楽しむことができる。例えば、画像の中の被写体が話した音声を取得して再生されると、画像の中の被写体が実際に話しているようにも感じられて臨場感があり、ユーザ同士で愉快に楽しむことができる。
【００２２】
また、請求項９に記載の発明は、請求項１ないし請求項６の何れかに記載のインデックスプリント作成装置によって作成されたインデックスプリントのアクセス情報を使用するユーザ端末機とネットワークを介して通信を行うサービスサーバであって、前記ユーザ端末機から前記インデックスプリントのアクセス情報を使用してアクセスされ、該アクセス情報に対応する画像の付加情報を受信する受信手段と、前記受信した付加情報を各画像と関連付けて管理するデータベースと、前記ユーザ端末機から前記インデックスプリントのアクセス情報を使用してアクセスされると、該アクセス情報に対応する画像の付加情報を前記データベースから読み出して前記アクセスしたユーザ端末機に送信する送信手段を備えた構成となっている。
【００２３】
この構成によって、インデックスプリントに基づいて、ユーザが好みの画像を容易に選択して、音声等の付加情報を後から容易に登録することができ、インデックスプリントを配布したユーザ同士で付加情報を容易に再生できるのみでなく容易に登録して手軽かつ愉快に楽しむことができる。また、画像のみ予め取得されている場合、例えば、銀塩カメラで画像が記録されたフイルムから画像を読み取り、この画像のみをサービスサーバのデータベースに予め登録しておいた場合でも、後から音声等の付加情報を容易かつ自由に登録することが可能になる。
【００２４】
前記付加情報は、請求項１０に記載するように、音声情報、文字情報、バックグラウンドミュージック、撮影時の位置情報、および、画像情報のうちの少なくとも１つを含む。
【００２５】
また、請求項１１に記載の発明は、ユーザの少なくとも１以上の画像のプリント注文を受け付け、プリント注文を受け付けたユーザの各画像を所定のデータベースに登録し、前記データベースに登録された各画像に対してネットワークを介してアクセスするための画像ごとにユニークなアクセス情報を発行し、１枚のインデックスプリント用のプリント媒体に前記ユーザの少なくとも１以上の画像を印刷するとともに、前記画像ごとにユニークなアクセス情報を各画像に関連付けて該プリント媒体に記録し、前記プリント媒体のアクセス情報を使用してユーザ端末機からアクセスされると、該アクセス情報に対応する画像を前記データベースから読み出して前記アクセスしたユーザ端末機に送信する構成となっている。
【００２６】
また、請求項１２に記載の発明は、ユーザの少なくとも１以上の画像のプリント注文を受け付け、プリント注文を受け付けたユーザの各画像に関連する付加情報を各画像と関連付けて所定のデータベースに登録し、前記データベースに登録された各画像の付加情報に対してネットワークを介してアクセスするための画像ごとにユニークなアクセス情報を発行し、１枚のインデックスプリント用のプリント媒体に前記ユーザの少なくとも１以上の画像を印刷するとともに、前記画像ごとにユニークなアクセス情報を各画像に関連付けて該プリント媒体に記録し、前記アクセス情報を使用してユーザ端末機からアクセスされると、該アクセス情報に対応する画像の付加情報を前記データベースから読み出して前記アクセスしたユーザ端末機に送信する構成となっている。
【００２７】
また、請求項１３に記載の発明は、ユーザの少なくとも１以上の画像のプリント注文を受け付け、前記画像ごとにユニークなアクセス情報を発行し、１枚のインデックスプリント用のプリント媒体に前記ユーザの少なくとも１以上の画像を印刷するとともに、前記画像ごとにユニークなアクセス情報を各画像に関連付けて該プリント媒体に記録し、第１のユーザ端末機から前記アクセス情報を使用してアクセスされ、該アクセス情報に対応する画像の付加情報を受信し、前記受信した付加情報を各画像と関連付けて所定のデータベースに登録し、前記プリント媒体のアクセス情報を使用して第２のユーザ端末機からアクセスされると、該アクセス情報に対応する画像の付加情報を前記データベースから読み出して前記アクセスした第２のユーザ端末機に送信する構成となっている。
【発明の効果】
【００２８】
本発明によれば、インデックスプリントに基づいて、撮影された画像や画像の付加情報に任意のユーザのユーザ端末機から容易にアクセスすることができ、ユーザ同士で手軽かつ愉快に楽しむことができる。
【発明を実施するための最良の形態】
【００２９】
以下、添付図面に従って本発明に係るインデックスプリント作成装置およびサービスサーバを実施するための最良の実施の形態について、詳細に説明する。
【００３０】
図１は、本発明に係るインデックスプリント作成装置およびサービスサーバを含むサービスシステムの例の全体構成図である。
【００３１】
図１において、主に、サービスサーバ１０、プリント装置２０（インデックスプリント作成装置）、携帯電話３０、パーソナルコンピュータ４０（以下「ＰＣ」と称する）がそれぞれインターネット５０に接続されて、サービスシステムが構成されている。
【００３２】
携帯電話３０には、被写体の撮影が可能なカメラ（図示を省略）が設けられている。携帯電話３０のカメラで被写体を撮影して得られた画像は、インターネット５０を介して、サービスサーバ１０にアップロード可能である。さらに、携帯電話３０がＧＰＳ（Global Positioning System）による現在位置の検出機能を有している場合には、撮影時の位置情報（経度、緯度）を、画像とともに付加情報としてサービスサーバ１０にアップロード可能である。また、携帯電話３０のマイク（図示を省略）で入力された音声や、携帯電話３０のメモリ（図示を省略）に格納されていたバックグラウンドミュージック（ＢＧＭ）を、画像とともに付加情報としてサービスサーバ１０にアップロード可能である。また、携帯電話３０のボタン（図示を省略）で入力された文字情報を、画像とともに付加情報としてサービスサーバ１０にアップロード可能である。
【００３３】
携帯電話３０のカメラは、ＱＲコード（登録商標）等の２次元バーコードの読み取りにも用いられる。携帯電話３０は、カメラで読み取った２次元バーコードを解読して、解読内容（アクセス情報を示す）に基づいてサービスサーバ１０にアクセスし、インターネット５０を介してサービスサーバ１０から各種情報をダウンロード可能である。
【００３４】
サービスサーバ１０は、携帯電話３０からインターネット５０を介して各種のサービス要求を受け付けて、サービス要求に対応するサービス処理を実行するものである。
【００３５】
図２は、サービスサーバ１０の内部構成の例を示すブロック図である。図２において、サービスサーバ１０は、主として、ＨＴＴＰ（Hypertext Transfer Protocol）により通信可能な通信部１１、制御部１２、各種のデータベース１３、１４、１５、１６を含んで構成される。画像・付加情報データベース１３は、携帯電話３０等からアップロードされた画像および画像の付加情報を管理する。ユーザ情報データベース１４は、画像等のオーナを識別するオーナＩＤ、パスワード、氏名、住所、メールアドレス等のユーザ情報を管理する。課金情報データベース１５は、プリント枚数、プリントサイズ、プリントタイプ（いわゆる「写真プリント」や「インデックスプリント」等）、プリント料金、画像保管料等のユーザに対する課金情報を管理する。地図情報データベース１６は、ＧＰＳにより携帯電話３０で測定された位置情報（経度、緯度）に関連付けされる地図情報を管理する。なお、通信部１１はＨＴＴＰの代わりにＳＭＴＰ（Simple Mail Transfer Protocol）を用いて電子メールにより通信を行ってもよく、メールに画像や付加情報等を添付してもよい。
【００３６】
サービスサーバ１０の制御部１２は、サービスサーバ１０内の各部を統括制御するものであり、携帯電話１０やＰＣ４０等のユーザ端末機で実行されるブラウザ（閲覧ソフト）に対して各種の情報を提供する情報提供ソフトを含む。サービスサーバ１０の制御部１２は、サービスサーバ１０の通信部１１により携帯電話３０あるいはプリント装置２０から受信した、プリント注文された画像および画像の付加情報を、画像・付加情報データベース１３に登録し、この画像・付加情報データベース１３に登録された各画像や付加情報にアクセスするためのアクセス情報を発行する。アクセス情報としては、例えば、ＵＲＬ（Uniform Resource Locator）を用いる。２次元バーコードの印刷サイズを小さくする等の目的のために、ＵＲＬの代わりに本サービス特有の識別情報、例えば英数字からなる文字列を用いてもよい。
【００３７】
サービスサーバ１０の制御部１２は、携帯電話３０からオーダ情報（プリント注文された画像、プリント枚数、プリントサイズ、プリントタイプ等のプリント注文内容）がアップロードされたときには、このオーダ情報とともに、オーダ情報に対応するアクセス情報を発行して、通信部１１によりプリント装置２０に送信する。
【００３８】
また、サービスサーバ１０の制御部１２は、プリント装置２０からオーダ情報がアップロードされたときにも、このオーダ情報に対応するアクセス情報を発行して、通信部１１によりプリント装置２０に送信する。
【００３９】
なお、オーダ情報が携帯電話３０やプリント装置２０からアップロードされるとき、画像に付加情報が付加されている場合と、画像に付加情報が付加されていない場合とがある。例えば、携帯電話３０が付加情報を付加する機能を有していない場合や、ユーザが携帯電話３０で付加情報を付加するための操作をしなかった場合、プリント装置２０で画像のみを読み取った場合等がある。このような場合でも、サービスサーバ１０に画像のみアップロードされた後に、画像・付加情報データベース１３に登録された画像に付加情報を付加することが可能になっている。また、すでに画像・付加情報データベース１３に登録された画像に付加情報が付加されている場合でも、付加情報の変更、追加をすることができる。
【００４０】
具体的には、携帯電話３０からアクセス情報を使用してアクセスされたとき、サービスサーバ１０の制御部１２は、携帯電話３０から付加情報を受信して、アクセス情報に対応する画像に付加情報を付加する。画像・付加情報データベース１３は、受信した付加情報を各画像と関連付けて管理する。バックグラウンドミュージックサイトと連携し、バックグラウンドミュージックとアクセス情報とを関連付けて管理することも可能である。
【００４１】
さらに、サービスサーバ１０の制御部１２は、携帯電話３０やＰＣ４０等のユーザ端末機から送信されたアクセス情報を通信部１１により受信すると、アクセス情報で特定される目的の画像および付加情報を画像・付加情報データベース１３から読み出して、アクセス情報を送信した要求元のユーザ端末機に画像や付加情報を送信する。
【００４２】
プリント装置２０は、画像を所定の用紙に印刷するものである。
【００４３】
図３は、プリント装置２０の内部構成の例を示すブロック図である。図３において、プリント装置２０は、主として、オペレータの指示が入力される操作部２０１、各種情報を表示する表示部２０２、メモリカード等の記録メディアから画像や画像の付加情報を読み取り可能な記録メディアインタフェース２０３、インターネット５０を介してサービスサーバ１０と通信可能な通信部２０４、各種情報を記憶するメモリ２０５、プリント装置２０の各部を統括制御する制御部２０６、フイルムに記録された画像を読み取り可能なスキャナ２０７、画像を所定の用紙に印刷する画像プリント部２０８を含んで構成される。
【００４４】
このプリント装置２０は、各種の方法で画像の取得が可能である。第１に、通信部２０４によりサービスサーバ１０からインターネット５０を介して画像を取得して、画像プリント部２０８によりプリント可能である。第２に、記録メディアインタフェース２０３により、メモリカード等の記録メディアから画像を取得して、画像プリント部２０８によりプリント可能である。第３に、銀塩カメラにより画像が記録されたフイルムから画像を読み取って、画像プリント部２０８によりプリント可能である。
【００４５】
また、プリント装置２０は、各種のプリントタイプをサポートしている。画像が印刷された用紙は、一般に、「プリント」と呼ばれる。１枚の用紙にひとつの画像を印刷したタイプのプリントを「写真プリント」、１枚の用紙に複数の画像の一覧を印刷したタイプのプリントを「インデックスプリント」という。
【００４６】
プリント装置２０は、サービスサーバ１０から画像を取得する場合には、画像ごとにユニークなアクセス情報を、画像とともに、通信部２０４によりサービスサーバ１０から取得するようになっている。同様に、プリント装置２０が記録メディアインタフェース２０３やスキャナ２０７により画像データを取得する場合にも、画像ごとにユニークなアクセス情報を、通信部２０４によりサービスサーバ１０から取得するようになっている。
【００４７】
また、プリント装置２０は、インデックスプリントを印刷する際に、制御部２０６の制御により、１枚の用紙に複数の画像を印刷するとともに、アクセス情報を各画像に関連付けて印刷するようになっている。
【００４８】
図４は、インデックスプリント２５の例を示す説明図である。このインデックスプリント２５では、各画像２３（２３Ａ、２３Ｂ、２３Ｃ、２３Ｄ、２３Ｅ、２３Ｆ、２３Ｇ、２３Ｈ）の近傍、ここでは直下に、画像・付加情報データベース１３に格納された画像および付加情報にアクセスするための２次元バーコード２４（２４Ａ、２４Ｂ、２４Ｃ、２４Ｄ、２４Ｅ、２４Ｆ、２４Ｇ、２４Ｈ）が印刷されている。すなわち、各画像２３に関連付けて、画像ごとにユニークな２次元バーコード２４が印刷されている。
【００４９】
例えば、第１の画像２３Ａに関連付けられた２次元バーコードコード２４Ａを携帯電話３０のカメラで読み取らせると、この２次元バーコード２４Ａが携帯電話３０で解読されて、その２次元バーコードが示すアクセス情報に基づいて、携帯電話３０がインターネット５０を介してサービスサーバ１０にアクセスし、携帯電話３０に画像がダウンロードされて携帯電話３０に表示される。ここで、画像に音声情報が付加されていた場合には、画像とともに音声情報が携帯電話３０にダウンロードされて、携帯電話３０から音声が出力される。また、画像に文字情報が付加されていた場合には、画像とともに文字情報が携帯電話３０にダウンロードされて、携帯電話３０のボタンで表示切替操作を行うと、画像表示が文字表示に切り替わって、画像に関連した文字情報が携帯電話３０に表示される。また、画像に撮影位置を示す位置情報が付加されていた場合には、その撮影位置を示す地図情報が携帯電話３０に提供されて、携帯電話３０のボタンで表示切替操作を行うと、画像表示が地図表示に切り替わって、撮影位置を示す地図が携帯電話３０に表示される。
【００５０】
また、図４のインデックスプリント２５はシール紙に印刷され、図４の破線が切り取り線になっている。例えば、図４の破線のところに切り込みが入れられている。したがって、図４の破線のところで剥がして他の媒体に貼り付けることができる。なお、図４に示すインデックスプリント２５では、２次元バーコードが印刷された箇所のみを剥がすことができるとともに、画像が印刷された箇所のみを剥がすこともできるようになっている。本発明は、これに限るものではなく、画像が印刷された箇所と２次元バーコードが印刷された箇所とを一体にして剥がし、画像とアクセス情報とを一体にして貼り付け可能にしてもよい。
【００５１】
以上説明したサービスシステムにおける具体的なサービスの流れについて説明する。以下では、２つのプリント形態（第１および第２のプリント形態）に分けて説明する。
【００５２】
まず、図５を参照しながら、第１のプリント形態、すなわち、携帯電話３０からサービスサーバ１０に画像をアップロードしてプリント装置２０で印刷を行う形態について、サービスの流れを説明する。
【００５３】
（１）携帯電話３０で画像を撮影し、携帯電話３０内の記録メディアに保管する。画像を保管する際、撮影画像に対して各種の情報を付加可能になっている。例えば、ＧＰＳによる現在位置の検出が可能な携帯電話３０の場合には、画像撮影時の位置情報が画像に付加される。画像に付加する付加情報としては、位置情報の他に、音声情報、文字情報、バックグラウンドミュージック（ＢＧＭ）などがある。携帯電話３０で画像に音声情報を付加する場合には、例えば画像を携帯電話３０に表示している状態で音声情報を入力するメニューを選択し、携帯電話３０のボタンに割り当てられている録音開始ボタンを押して音声を入力し、録音終了ボタンを押して音声入力を終了させる。
【００５４】
このようにして音声情報の入力が行われると、例えばＷＡＶフォーマット（Wave形式）の音声ファイルが作成され、携帯電話３０内の記録メディアに記録される。このとき、画像ファイルと音声ファイルとが関連付けられて記録される。この関連付けは、画像ファイルのファイル名として「DSCF0001.JPG」が付けられている場合、音声ファイルのファイル名を「DSCF0001.WAV」とし、両者のファイル名の拡張子のみを異ならせることで行うことができる。
【００５５】
なお、撮影画像に音声情報や位置情報等の付加情報を付加しないことも可能である。
【００５６】
（２）携帯電話３０からサービスサーバ１０にアクセスし、サービスサーバ１０から携帯電話３０に送られてきたプリント注文受付の画面上で、携帯電話３０内の記録メディアに保存された画像の中からプリントする画像を選択する。プリントする画像毎のプリントサイズやプリント枚数の指定を行うことができる。ここで、選択した画像の一覧を印刷したインデックスプリントの作成を指定可能である。なお、画像に付加する音声情報は、プリント注文する画像を選択しながら画像ごとに行うようにしてもよい。
【００５７】
（３）携帯電話３０でプリント注文内容を入力したのち送信ボタンを押すと、選択された画像、プリントサイズ、プリント枚数、プリントタイプ等を含むオーダ情報が、携帯電話３０からサービスサーバ１０にアップロードされる。このとき、画像に付加情報があれば、付加情報も同時にサービスサーバ１０にアップロードされる。プリントタイプは、インデックスプリントの有無を含む。
【００５８】
サービスサーバ１０は、プリント注文を受け付けると、受け取った画像と付加情報を１単位（画像・付加情報）とし、オーダごとに画像・付加情報データベース１３で管理する。
【００５９】
（４）サービスサーバ１０は、受付結果を携帯電話３０に送信する。このとき、サービスサーバ１０は、画像・付加情報データベース１３にオーダ単位で管理された画像および付加情報にアクセスするためのアクセス情報（例えばＵＲＬ）を生成する。受付結果には、アクセス情報のほかに、プリントサイズ、プリント枚数、プリントタイプ、プリント料金、納期情報等が含まれる。
【００６０】
（５）そして、画像、プリントサイズ、プリント枚数、プリントタイプ等を含むオーダ情報と、アクセス情報をプリント装置２０に送信する。ここで、アクセス情報は、サービスサーバ１０側で２次元バーコードにエンコードしてプリント装置２０に送るようにしてもよい。例えば、サービスサーバ１０がＵＲＬを２次元バーコードに変換してプリント装置２０に送信する。プリント装置２０側で２次元バーコードにエンコードしてもよい。
【００６１】
（６）プリント装置２０は、サービスサーバ１０から受信したオーダ情報およびアクセス情報に基づいて、写真プリントやインデックスプリントを作成する。インデックスプリントでは、複数の画像がプリントされるだけでなく、画像ごとにユニークなアクセス情報が各画像に関連付けてプリントされる。なお、インデックスプリントでは、各画像が縮小されてプリントされる。作成された写真プリントやインデックスプリントは、ユーザが指定した受け取り先や自宅に配送される。
【００６２】
なお、インデックスプリントの有無は、携帯電話３０でユーザがプリント注文する際に指定し、サービスサーバ１０を介してプリント装置２０に通知してもよいし、ユーザがプリント注文しなくても、フリーチャージで、サービスサーバ１０からプリント装置２０にインデックスプリントを指示するようにしてもよい。
【００６３】
（７）携帯電話３０で、インデックスプリントの原画像および付加情報を取得する場合には、携帯電話３０をアクセス情報の読取モードにして、インデックスプリント上のアクセス情報を認識する。例えば、携帯電話３０は、２次元バーコードを読み取り解読してＵＲＬを取得する。
【００６４】
（８）取得したアクセス情報を使用して、画像および付加情報にアクセスすると、サービスサーバ１０は、アクセス情報に対応したサービスを提供する。
【００６５】
第１に、サービスサーバ１０は、アクセス情報に対応する画像を携帯電話３０に送信し、携帯電話３０は画像を表示する。携帯電話３０にダウンロードされた画像は、携帯電話３０で待ち受け画像として設定することができる。
【００６６】
第２に、サービスサーバ１０は、アクセス情報に対応する付加情報を携帯電話３０に送信し、携帯電話３０は付加情報を再生する。例えば、画像に音声情報やバックグランドミュージックが付加されていた場合には、携帯電話３０は音声やバックグラウンドミュージックを再生する。また、画像に位置情報が付加されていた場合には、撮影位置が示された地図を携帯電話３０に表示させる。すなわち、サービスサーバ１０は、画像に付加された位置情報に基づいて地図情報データベース１６から位置情報が示す位置を中心とする所定の範囲の地図情報を読み出し、この地図情報を携帯電話３０に送信して携帯電話３０に地図を表示させる。
【００６７】
なお、１つの画像に付加情報が複数ある場合には、適宜選択できるようになっている。例えば、文字情報とするか撮影位置情報を含む地図情報とするか切り替え可能である。
【００６８】
（９）同様に、プリント注文をした携帯電話３０では、受付結果で得たアクセス情報でアクセスすると、オーダ毎の画像閲覧ができ、付加情報も得ることができる。
【００６９】
本サービスは、プリント注文を受け付けてから一定期間、画像および付加情報を保管し、上述のサービスを提供する。一定期間を経過すると、上記サービスの提供を終了するが、別途料金（ストレージ料金）を支払うことで、保管期間を延長することができる。
【００７０】
なお、図５に示す例では、アップロードされた画像は、原則として、オーダ単位で管理され、ユーザ単位では管理されていない。したがって、受付結果で取得したアクセス情報では、オーダ単位で画像の閲覧やインデックスプリント注文できるが、ユーザがアップロードした全ての画像をユーザ単位でまとめて閲覧することができない。そこで、ユーザがアップロードした全ての画像をまとめて閲覧等できるサービスを希望する場合には、オーナ画像管理サービスの申し込みを行う。
【００７１】
（１０）オーナ画像管理サービスの申し込み時には、ユーザがオーナＩＤとパスワードを決めて登録する。なお、オーナ画像管理サービスを受けるためには別途料金が発生する。オーナ画像管理サービスを申し込むと、携帯電話３０内に蓄積されている受付結果から全てのＵＲＬをソフトウェアで収集し、その収集したＵＲＬと、オーナＩＤ、パスワードをサービスサーバ１０に送信する。
【００７２】
（１１）サービスサーバ１０側では、受信した全てのＵＲＬを関連付けて閲覧ページを作成する。それ以降、サービスサーバ１０は、オーナＩＤとパスワードによりオーナ単位で画像を管理する。
【００７３】
（１２）パーソナルコンピュータ４０からもアクセスが可能となる。すなわち、特定のＵＲＬを用いてサービスサーバ１０にアクセスし、特定の入力画面でオーナＩＤとパスワードを入力することでオーナページに入ることができる。オーナページは、携帯電話３０用とＰＣ４０用とに分けられ、ＰＣ４０用の方が機能が強化されている。
【００７４】
次に、図６を参照しながら、第２のプリント形態、すなわち、プリント装置２０で直接画像を取得して印刷を行う形態について、サービスの流れを説明する。
【００７５】
（２１）プリント装置２０は、ユーザの画像および付加情報を取得する。ここで、プリント装置２０は、各種の画像取得形態をサポートしている。第１に、銀塩カメラによってフイルムに画像が記録されている場合には、プリント装置２０は、このフイルムからスキャナ２０７により直接画像を読み取り、デジタルデータとして画像を取得する。第２に、携帯電話やデジタルカメラ等によってメモリカード等の記録メディアに画像が記録されている場合には、この記録メディアから記録メディアインタフェース２０３により画像を取得する。携帯電話等と近距離の無線通信を行って画像を取得するようにしてもよい。これらの画像取得形態では、それぞれ周知の技術で画像を取得するので、詳細な説明は省略する。なお、画像に音声や文字情報等の付加情報がある場合には、画像と併せて付加情報も取得する。画像に付加情報がない場合には、画像のみ取得する。
【００７６】
（２２）プリント装置２０では、プリントする画像の選択や、画像毎のプリントサイズ、プリント枚数、インデックスプリントの有無等のユーザのプリント注文内容が入力される。
【００７７】
（２３）プリント注文された画像、プリントサイズ、プリント枚数、インデックスプリントの有無等を含むオーダ情報が、プリント装置２０からサービスサーバ１０にアップロードされる。このとき、画像に付加情報があれば、付加情報も同時にサービスサーバ１０にアップロードされる。
【００７８】
サービスサーバ１０は、受け取った画像と付加情報を１単位（画像・付加情報）とし、オーダごとに画像・付加情報データベース１３で管理する。
【００７９】
（２４）サービスサーバ１０は、画像・付加情報データベース１３にオーダ単位で管理された画像および付加情報にアクセスするためのアクセス情報（例えばＵＲＬ）を生成し、アクセス情報をプリント装置２０に送信する。ここで、アクセス情報は、サービスサーバ１０で２次元バーコードにエンコードしてプリント装置２０に送るようにしてもよい。プリント装置２０が２次元バーコードにエンコードしてもよい。
【００８０】
（２５）プリント装置２０には、サービスサーバ１０で画像等が受け付けられた旨等の受付結果が表示される。
【００８１】
（２６）プリント装置２０は、プリント装置２０で入力されたオーダ情報と、サービスサーバ１０から受信したアクセス情報に基づいて、写真プリントおよびインデックスプリントを作成する。インデックスプリントでは、図４を用いてその例を説明したように、複数の画像が縮小されてプリントされるだけでなく、画像ごとにユニークなアクセス情報が各画像に関連付けてプリントされる。
【００８２】
インデックスプリントを作成した後の処理は、前述した第１のプリント形態と概略同じである。（２７）携帯電話３０でインデックスプリントのアクセス情報を読み取って認識し、（２８）取得したアクセス情報を使用して、画像および付加情報にアクセスすると、サービスサーバ１０は、アクセス情報に対応した画像や付加情報等を携帯電話３０に送信する。（３０）別途料金（ストレージ料金）を支払うことで保管期間を延長することができるし、画像のオーナ単位で画像の管理が可能なオーナ画像管理サービスの申し込みも可能である。（３１）オーナ画像管理サービスの場合、サービスサーバ１０は、オーナＩＤとパスワードによりオーナ単位で画像を管理する。（３２）ＰＣ４０からもアクセスが可能である。
【００８３】
アクセス情報が印刷されたインデックスプリントを友達に配布すると、その友達は、インデックスプリント内の複数の画像の中から好みの画像を選択して、自分の携帯電話３０でアクセス情報を読み取ることで、読み取られたアクセス情報に対応する画像を携帯電話３０に表示させて閲覧することができるし、画像に付加された付加情報を得ることができる。例えば、友人が撮影した画像が携帯電話３０に表示されるとともに被写体の人物や友人が話した音声が携帯電話３０に出力され、臨場感のある再生を楽しむことができる。それに、インデックスプリントを見ながら好みの画像を手軽に選択できるし、どの画像にどのような付加情報が付いているのか楽しみである。インデックスプリントで選択した画像を携帯電話３０に表示させて気に入れば、その画像を待受け画面として容易に設定することができる。
【００８４】
なお、インデックスプリントを注文する際、アクセス情報の印刷の有無を指定することができる。
【００８５】
また、インデックスプリントを注文する際、印刷するアクセス情報を、ライト権限（付加情報等の登録権限）のあるアクセス情報とするか、あるいは、リード権限（画像や付加情報の再生権限）のみのアクセス情報とするかを指定することができる。
【００８６】
ライト権限のあるアクセス情報が印刷されたインデックスプリントは例えばオーナのみが保有して、自分の携帯電話３０でアクセス情報を読み取ることで、サービスサーバ１０から送信された登録用画面が携帯電話３０に表示され、付加情報の追加や更新ができる。また、付加情報の追加のみ可能なライト権限のあるアクセス情報が印刷されたインデックスプリントを複数の友人に配布して、付加情報を寄せ集めるようにしてもよい。
【００８７】
インデックスプリントを注文する際、アクセス情報を印刷するか否かを選択することもできる。
【００８８】
また、インデックスプリントだけでなく、１枚の用紙にひとつの画像を印刷する標準タイプの「写真プリント」にもアクセス情報を印刷してよい。
【００８９】
また、アクセス情報は、２次元バーコードとして画像の近傍に印刷する場合に限らず、不可視の状態で画像内に埋め込むようにしてもよい。この場合には、画像の中心に埋め込むのが好ましい。
【００９０】
また、アクセス情報は、用紙に形成されたＩＣタグに書き込むようにしてもよい。この場合には、例えば、インデックスプリントで１枚の用紙に８個の画像が印刷されるのであれば各画像の中心に相当する位置に予めＩＣタグが形成された用紙を用いる。プリント装置２０には、ＩＣタグにアクセス情報を書き込むための書込手段を設ける。また、互いに隣接するＩＣタグ同士が干渉し合わないような適当な通信距離のＩＣタグを選択する必要がある。
【００９１】
その他、本発明は、図で示した例や前述の説明した例に限定されるものではなく、本発明の要旨に従って適宜実施してよいことは言うまでもない。
【００９２】
例えば、図１でプリント装置２０はサービスサーバ１０とインターネット５０を介して接続されているが、プリント装置２０とサービスサーバ１０とが一体で形成されていてもよい。また、図２でデータベース１３、１４、１５、１６はサービスサーバ１０の通信部１１および制御部１２と一体で形成されているが、説明の便宜上の構成であり、データベース１３、１４、１５、１６はネットワークを介して通信部１１および制御部１２と接続されていてもよい。また、ユーザ端末機は、携帯電話３０やＰＣ４０に限るものではなく、例えばＰＤＡ（Personal Digital Assistants）であってもよい。
【００９３】
また、アクセス情報は、２次元バーコードの印刷や、ＩＣタグへの書き込みによりインデックスプリントに記録する場合に限るものではなく、また、カメラでの２次元バーコードの読み取りや、ＩＣタグからの読み込みによりインデックスプリントから取得する場合に限るものでもない。たとえば、数字でインデックスプリントに印刷してもよい。
【００９４】
また、例えば、付加情報は、前述した音声情報、文字情報、バックグラウンドミュージック、および、位置情報に限るものではなく、例えば、画像に異なる画像情報を付加してもよい。例えば、インデックスプリントに印刷された画像は静止画であるから、アクセス情報により動画にアクセス可能にすれば、より愉快に楽しめることになる。
【図面の簡単な説明】
【００９５】
【図１】本発明に係る一実施形態のプリント装置およびサービスサーバを含むサービスシステムの全体構成図
【図２】本発明に係る一実施形態のサービスサーバの内部構成例を示すブロック図
【図３】本発明に係る一実施形態のプリント装置の内部構成例を示すブロック図
【図４】アクセス情報が印刷されたインデックスプリントの例を示す図
【図５】ユーザ端末機からアップロードされた画像のインデックスプリントを作成する例のサービスの流れを示すフローチャート
【図６】プリント装置からアップロードされた画像のインデックスプリントを作成する例のサービスの流れを示すフローチャート
【符号の説明】
【００９６】
１０…サービスサーバ、１１…サービスサーバの通信部、１２…サービスサーバの制御部、１３…画像・付加情報データベース、１４…ユーザ情報データベース、１５…課金情報データベース、１６…地図情報データベース、２０…プリント装置（インデックスプリント作成装置）、２３…画像、２４…２次元バーコード、２５…インデックスプリント、３０…携帯電話（ユーザ端末機）、４０…パーソナルコンピュータ（ＰＣ）、２０３…プリント装置の記録メディアインタフェース、２０４…プリント装置の通信部、２０６…プリント装置の制御部、２０７…プリント装置のスキャナ、２０８…プリント装置の画像プリント部
【図１】
2005208499.tif 000003
【図２】
2005208499.tif 000004
【図３】
2005208499.tif 000005
【図４】
2005208499.tif 000006
【図５】
2005208499.tif 000007
【図６】
2005208499.tif 000008